(57)【要約】【課題】飼育魚を観賞する楽しみや、観賞によって心に安らぎ与えることができるという効果を保持する状態でさらなる楽しみを付与することができるようにした池のろ過装置を提供する。【解決手段】池１の貯水上に複数のろ過槽５を上下方向に多段に設け、池１の貯水を水中ポンプ１０で汲み上げて、最上段のろ過槽５上に設けられた散水管９から最上段のろ過槽５内に散水してろ過し、そのろ過水を下段のろ過槽５内に順次流通させてろ過し、清澄水を池に還流させる。最下段のろ過槽５と池１の貯水面間に一端部がろ過槽５と上下で対向し、他端部がろ過槽５の外周から貯水面に沿って側方に張り出す植物生育箱１６を設け、その植物生育箱１６内にろ過水を送り込んで貯水し、底板１７の他端部に形成された多数の排水孔１９から池１に排水し、植物生育箱１６内に清澄水の流れを生じさせて、植物生育箱１６内で植物を水耕栽培する。【選択図】図１
2017099362.tif 000002
【特許請求の範囲】
【請求項１】
観賞魚を飼育する池の貯水面上に、底板が多孔性とされ、その多孔性底板上においてろ材が収容された複数のろ過槽を上下方向に多段に設け、前記池の貯水内に沈められた水中ポンプの作動により池の貯水を汲み上げて最上段のろ過槽内に送り、その最上段のろ過槽から下段のろ過槽に流れ落ちる貯水を各段のろ過槽内のろ材により順次ろ過して清澄水を池に還流させるようにした池のろ過装置において、
前記最下段のろ過槽と池の貯水面間に一端部がろ過槽と上下で対向し、他端部がろ過槽の外周から貯水面に沿って側方に張り出して内部に通水性を有する育成床材が設けられる植物生育箱を設け、その植物生育箱における底板の他端部に多数の排水孔を形成したことを特徴とする池のろ過装置。
【請求項２】
前記植物生育箱の底板を、一端から他端に向けて下り勾配をもって傾斜させた請求項１に記載の池のろ過装置。
【請求項３】
前記植物生育箱の底板を、ろ過槽と対向する一端部が他端部より上位に位置するよう段差を設けた請求項１に記載の池のろ過装置。
【請求項４】
前記各段のろ過槽におけるろ材内に、エアポンプから送り込まれる空気をろ過槽内の外周部に向けて噴出するエアストーンを設けた請求項１乃至３のいずれか１項に記載の池のろ過装置。
【発明の詳細な説明】
【技術分野】
【０００１】
この発明は、鯉や鮒、金魚等の鑑賞魚を飼育する池のろ過装置に関するものである。
【背景技術】
【０００２】
住宅の庭等の屋外に作られた観賞魚飼育用の池においては、風雨に曝される環境下にあるため、貯水内にごみ等の不純物が混入し易く、放置していると、貯水に濁りが生じて水質が悪化し、魚の成育に問題が生じる。
【０００３】
また、鑑賞魚に与えられる餌や、観賞魚から排泄される糞尿によっても貯水が汚損され、魚の成育が阻害されるだけでなく、観賞効果も低減されることになる。
【０００４】
そのような問題を解決するため、例えば、特許文献１に記載されているように、水中ポンプの駆動により池の貯水を汲み上げてろ過筒内に送り、そのろ過筒内に設けられた複数のろ過室のそれぞれ内部に収容されたろ材により水をろ過して不純物を取り除き、ろ過後の清澄水を池に戻して貯水の水質を一定に保つことが行われている。
【先行技術文献】
【特許文献】
【０００５】
【特許文献１】特開２００８−１２４０８号公報
【発明の概要】
【発明が解決しようとする課題】
【０００６】
ところで、ろ過装置が設けられていない池においては、貯水の懸濁によって観賞効果が低減され、心に安らぎを与えることができなくなるが、特許文献１に記載のように、ろ過装置を設けることで貯水を清澄化することができるため、飼育魚を観賞する楽しみを長期に亘って維持することができるという効果、観賞によって心に安らぎ与えることができるという効果を奏する。
【０００７】
本件の発明者においては、池の貯水の水質検査をしたところ、水道水との比較において、植物の生育に必要とされる窒素やリンが比較的多く含まれていることを発見した。そこで、池の水をくみ出して流水し、その流水路に通水性を有する不織布を敷いて植物を育成したところ、植物が十分に育つことを見い出した。
【０００８】
この発明の課題は、飼育魚を観賞する楽しみや、観賞によって心に安らぎ与えることができるという効果を保持する状態でさらなる楽しみを付与することができるようにした池のろ過装置を提供することである。
【課題を解決するための手段】
【０００９】
上記の課題を解決するために、この発明においては、観賞魚を飼育する池の貯水面上に、底板が多孔性とされ、その多孔性底板上においてろ材が収容された複数のろ過槽を上下方向に多段に設け、前記池の貯水内に沈められた水中ポンプの作動により池の貯水を汲み上げて最上段のろ過槽内に送り、その最上段のろ過槽から下段のろ過槽に流れ落ちる貯水を各段のろ過槽内のろ材により順次ろ過して清澄水を池に還流させるようにした池のろ過装置において、前記最下段のろ過槽と池の貯水面間に一端部がろ過槽と上下で対向し、他端部がろ過槽の外周から貯水面に沿って側方に張り出して内部に通水性を有する育成床材が設けられる植物生育箱を設け、その植物生育箱における底板の他端部に多数の排水孔を形成した構成を採用したのである。
【００１０】
上記のように、最下段のろ過槽の下方に植物生育箱を設けることにより、ろ過槽によりろ過されて不純物が取り除かれた清澄水は植物生育箱の一端部で受け止められて貯水され、その貯水が他端部に形成された排水孔から池に戻されることになり、植物生育箱内に設けられる不織布等の通水性育成床材によってネギやカイワレ等の植物を水耕栽培することができる。
【００１１】
ここで、植物生育箱の底板を一端から他端に向けて下り勾配をもって傾斜させる構成とすると、底板の一端部から他端部に向けて清澄水がスムーズに流れ、底板の他端部上での植物の育成に効果を挙げることができる。
【００１２】
また、植物生育箱の底板を、ろ過槽と対向する一端部が他端部より上位に位置するよう段差を設けておくことにより、その段差に相当する厚さの育成床材を敷き詰めることで、育成床材の全体が植物生育箱に貯水される清澄水に浸かることになり、育成床材の全体で植物を均等に生育させることができる。
【００１３】
さらに、各段のろ過槽におけるろ材内に、ブロワから送り込まれる空気をろ過槽内の外周部に向けて噴出するエアストーンを設けることにより、ろ材の全体にわたって貯水がろ過されることになるため、貯水を効果的にろ過することができると共に、ろ過水に空気の酸素を含ませることができるので、植物生育箱において植物を効果的に育成することができる。
【発明の効果】
【００１４】
この発明においては、上記のように、池の貯水をろ過槽内に設けられたろ材によってろ過し、最下段のろ過槽から流れ落ちる清澄水を植物生育箱で受けて池に還流させるようにしたので、上記植物生育箱において植物を生育することができる。このため、飼育魚を観賞する楽しみや、観賞によって心に安らぎ与えることができるという効果を保持する状態で植物を生育させることができるという楽しみ、さらには、生育させた植物を食するという楽しみを付与することができる。
【図面の簡単な説明】
【００１５】
【図１】この発明に係る池のろ過装置の実施の形態を示す縦断面図
【図２】図１の平面図
【図３】図１のIII−III線に沿った断面図
【図４】植物生育箱の他の例を示す断面図
【発明を実施するための形態】
【００１６】
以下、この発明の実施の形態を図面に基づいて説明する。図１乃至図３に示すように、金魚等の鑑賞魚を飼育する池１として、ここでは、セメントによって作られた水槽が示されている。なお、池１はこれに限定されず、樹脂成形され、あるいは、ステンレス板によって形成された容器状ものであってもよく、あるいは、地面に掘削され、その掘削穴の内表面をセメントで固めたものであってもよい。
【００１７】
池１の上側には一対の支持枠２が設けられている。支持枠２には左右で対向する一対のレール３が上下方向に複数段形成されている。図１乃至図３では、左右で対向する一対のレール３が上下方向に４段形成され、最下段の一対のレール３ｌは池１の一側から他側にわたる長さとされ、その最下段の一対のレール３ｌが池１の対向側壁で支持されている。
【００１８】
最下段の一対のレール３ｌを除く残り各段の一対のレール３上はろ過槽収容空間４とされ、各段のろ過槽収容空間４内に角箱状のろ過槽５が収容されて、一対のレール３に沿って抜き際し自在とされている。
【００１９】
ろ過槽５の底板６には全体にわたって排水用の小孔７が形成されている。また、底板６上においてろ過槽５内には水をろ過するろ材８が収容されている。
【００２０】
ろ材８として、ここでは、硅砂が用いられており、上段のろ過槽５から下段のろ過槽５に至るに従って硅砂の粒径が小さくなっている。具体的には、最上段のろ過槽５に収容された硅砂の粒径は、４．００〜７．９３ｍｍの範囲とされ、中段のろ過槽５に収容された硅砂の粒径は、２．８３〜４．７６ｍｍの範囲とされている。また、最下段のろ過槽５に収容された硅砂の粒径は、１．００〜２．３６ｍｍの範囲とされている。
【００２１】
なお、上記とは逆に最上段のろ過槽５から下段のろ過槽５に至るに従って粒径が次第に大きくなる硅砂を収容してもよい。また、硅砂に代えて繊維の絡みからなるフィルタをろ材８として用いるようにしてもよい。
【００２２】
最上段のろ過槽５の上側には、複数の並列に配置された散水管９が架設されている。この散水管９と池１の貯水内に沈められた水中ポンプ１０の吐出口は揚水ホース１１で接続され、上記水中ポンプ１０の駆動により汲み上げられた池１の貯水は散水管９のそれぞれに送り込まれ、その散水管９の外周下部に形成された噴出孔１２から下向きに流出して最上段のろ過槽５内に送り込まれる。
【００２３】
各段におけるろ過槽５内には円筒状のエアストーン１３が組み込まれている。エアストーン１３は送気ホース１４を介してブロワ１５に接続され、そのブロワ１５から送り込まれる空気をろ過槽５内の外周部に向けて噴射して、ろ過槽５内に送り込まれる水をろ材８の全体に拡散させるようになっている。
【００２４】
支持枠２の最下段のレール３ｌ上には植物生育箱１６が設けられている。植物生育箱１６は矩形状の底板１７の外周に周壁１８を形成した角箱状をなし、その一端部が最下段のろ過槽５と上下で対向し、他端部が上記ろ過槽５の外周より側方に張り出す設置とされている。
【００２５】
植物生育箱１６の底板１７は、一端から他端に向けて下り勾配をもって傾斜し、その他端部には全体にわたって多数の小径の排水孔１９が形成されている。また、底板１７上には植物を生育する育成床材２０が敷き詰められている。
【００２６】
育成床材２０として、ここでは、繊維層からなる不織布を採用しているが、不織布に限定されるものではない。例えば、排水孔１９から流出することのない大きさの硅砂等の小石を育成床材２０として、その小石の敷き詰めにより植物の育成床を形成してもよい。
【００２７】
実施の形態で示す池のろ過装置は上記の構造からなり、池の貯水のろ過に際しては、水中ポンプ１０およびブロワ１５を駆動する。
【００２８】
水中ポンプ１０の駆動により、池１内の貯水が汲み上げられて揚水ホース１１から散水管９に送り込まれ、その散水管９の外周下部に形成された噴出孔１２から下向きに流出して最上段のろ過槽５内に送り込まれる。
【００２９】
ろ過槽５内にはろ材８が設けられているため、ろ過槽５内に送り込まれた貯水は、ろ材８内を流通する際にろ過されて不純物が取り除かれ、そのろ過水が底板６に形成された小孔７から中段のろ過槽５内に送り込まれ、その中段のろ過槽５からさらに最下段のろ過槽５内に送り込まれて、各段のろ過槽５内に収容されたろ材８で順次ろ過される。
【００３０】
各段のろ過槽５内のろ材８によって貯水がろ過される時、ブロワ１５が駆動され、そのブロワ１５からエアストーン１３に空気が送り込まれて、そのエアストーン１３からろ過槽５内の外周部に向けて空気が噴射される状態にある。このため、ろ過処理される水は噴射空気によって周囲に飛散し、ろ材８の全体で効果的にろ過処理される。また、ろ過水にはエアストーン１３から噴射する空気との衝突によって空気中の酸素が溶存する。
【００３１】
このため、最下段のろ過槽５によってろ過処理された清澄水には多くの酸素を含む状態で底板６に形成された小孔７から下方に流出する。最下段のろ過槽５の下方には植物生育箱１６が設けられているため、底板６の小孔７から流出する清澄水は植物生育箱１６で受け止められ、その植物生育箱１６の底板１７の傾斜に沿って他端部に流れ、植物生育箱１６内に貯水される。また、底板１７の他端部に形成された排水孔１９から流出して池１に還流される。
【００３２】
このため、池１の貯水は不純物の少ない透過性に優れたものであり、しかも、多くの酸素を含むため、観賞魚を良好に生育させることができる。また、貯水は透過性に優れているため、観賞効果も高く、観賞魚を目視することによって心に安らぎを与えることができる。
【００３３】
ここで、ろ過槽５によってろ過処理される池１の貯水は植物の生育に必要とされる窒素やリンが比較的多く含まれているため、ろ過槽５によってろ過処理された清澄水も窒素やリンを含み、また、エアストーン１３から噴射される空気との衝突によって多くの酸素が溶存する状態にある。そして、その清澄水は植物生育箱１６内に貯留される状態で底板１７に形成された排水孔１９から流出するため、植物生育箱１６内において清澄水の流れがあり、しかも、その植物生育箱１６内には通水性を有する育成床材２０が設けられているため、上記育成床材２０においてネギやカイワレ等の植物を水耕栽培することができる。
【００３４】
このため、実施の形態で示す池のろ過装置においては、飼育魚を観賞する楽しみ、観賞によって心に安らぎ与えることができるという効果を保持する状態で植物を生育させることができるという楽しみ、さらには、生育した植物を食するという楽しみを付与することができる。
【００３５】
図１においては、植物生育箱１６の底板１７を一端から他端に向けて下り勾配をもって傾斜させるようにしたが、図４に示すように、植物生育箱１６の底板１７を最下段のろ過槽５と対向する一端部が他端部より上位に位置するよう段差を設け、その低段側底板１７ａの上側に、その段差に相当する厚さの育成床材２０を敷き詰めるようにしてもよい。この場合、育成床材２０の全体が植物生育箱１６に貯水される清澄水に浸かることになり、育成床材２０の全体で植物を均等に生育させることができる。
【符号の説明】
【００３６】
１    池
５    ろ過槽
６    底板
７    小孔
９    散水管
１０  水中ポンプ
１１  揚水ホース
１２  噴出孔
１３  エアストーン
１６  植物生育箱
１７  底板
１９  排水孔
２０  育成床材
【図１】
2017099362.tif 000003
【図２】
2017099362.tif 000004
【図３】
2017099362.tif 000005
【図４】
2017099362.tif 000006